(57)【要約】  インプラントと一緒に使用するためのセラミック／金属製の歯科用アバットメントであって、概して、基部領域と、歯肉横断領域と、歯肉縁上領域とを有しているセラミック製の本体部を備えている。基部領域が、協働するインプラントの内側多角形はめ合い部と係合してアバットメントとインプラントとの間の相対回転を防止する外側多角形はめ合い部など、インプラントとの回転防止の取り合い部を備えている。さらに、セラミック製のアバットメント本体部は、インプラントに接触して、アバットメントとインプラントとの間に荷重を支える金属対金属の取り合いをもたらすための金属製のインプラント接触部を備えている。
2009527339.tif 000002
【特許請求の範囲】
【請求項１】
長手軸を定めており、インプラントとの回転防止の取り合い部を備えている基部領域と、歯肉横断領域と、歯肉縁上領域とを含んでいるセラミック製の本体部、
前記長手軸に沿って前記本体部を貫いて延びている穴、および
前記本体部へと取り付けられ、前記インプラントとの取り合い部に隣接して配置された金属製のインプラント接触部
を備えている歯科用アバットメント。
【請求項２】
前記インプラント接触部が、環状の形状であり、少なくとも一部分が前記基部領域と前記歯肉横断領域との間の境界に配置されている請求項1に記載のアバットメント。
【請求項３】
前記セラミック製の本体部が、前記基部領域と前記歯肉横断領域との間の境界に切り欠きを備えており、前記インプラント接触部が、該切り欠きに収容されている請求項2に記載のアバットメント。
【請求項４】
前記インプラント接触部が、前記長手軸に対して斜めの角度に配置されたインプラント接触面を備えている請求項1に記載のアバットメント。
【請求項５】
前記インプラント接触部が、圧入接続、接着接続、焼きばめ接続、およびろう付け接続で構成されるグループから選択される方法で、前記セラミック製の本体部へと取り付けられる請求項1に記載のアバットメント。
【請求項６】
前記回転防止の取り合い部が、多角形のはめ合い部を備えている請求項1に記載のアバットメント。
【請求項７】
当該アバットメントの少なくとも前記歯肉横断領域が、前記長手軸に対して傾けられた軸に沿って向けられている請求項1に記載のアバットメント。
【請求項８】
長手軸と、該長手軸に沿って延びる貫通穴と、インプラントとの回転防止の取り合い部とを有しているセラミック製の本体部、および
前記セラミック製の本体部へと取り付けられ、軸方向の荷重を支えるようにインプラントに接触する金属製のインプラント接触手段
を備えている歯科用アバットメント。
【請求項９】
前記金属製のインプラント接触手段が、前記インプラントの歯肉横断領域に少なくとも部分的に隣接して配置されている請求項8に記載のアバットメント。
【請求項１０】
前記金属製のインプラント接触手段が、圧入接続、接着接続、焼きばめ接続、およびろう付け接続で構成されるグループから選択される方法で、前記セラミック製の本体部へと取り付けられる環状金属リングを備えている請求項8に記載のアバットメント。
【請求項１１】
前記金属部が、前記長手軸に対して斜めの角度に配置されたインプラント接触面を備えている請求項8に記載のアバットメント。
【請求項１２】
前記回転防止の取り合い部が、外側の多角形のはめ合い部を備えている請求項8に記載のアバットメント。
【請求項１３】
歯肉横断領域を備えており、
該歯肉横断領域の少なくとも一部が、前記長手軸に対して傾けられた軸に沿って向けられている請求項8に記載のアバットメント。
【請求項１４】
外側にねじ山が設けられており、遠位端および近位端を有しており、該近位端が、第1の回転防止の取り合い部およびねじ山部を備えている本体を有している歯科用インプラント、および
前記インプラントの前記第1の回転防止の取り合い部と協働して前記インプラントとの間の相対回転を防止できる第2の回転防止の取り合い部を備えているセラミック製の本体と、前記インプラントの前記近位端に当接できる金属製の接触部と、を有している歯科用アバットメント
の組み合わせ。
【請求項１５】
前記金属製の接触部が、前記アバットメントが前記インプラントへと取り付けられたときに、前記インプラントの穴の内部に実質的に完全に収容される請求項14に記載の組み合わせ。
【請求項１６】
前記第1の回転防止の取り合い部が、内側多角形はめ合い部を備えており、前記第2の回転防止の取り合い部が、外側多角形はめ合い部を備えている請求項14に記載の組み合わせ。
【請求項１７】
前記内側多角形はめ合い部が、前記外側多角形はめ合い部の長さよりも大きな長さを有することで、前記アバットメントからの軸方向の荷重が、実質的に前記金属製の接触部のみを介して前記インプラントへと伝えられる請求項16に記載の組み合わせ。
【請求項１８】
前記金属製の接触部が、環状の形状であり、前記アバットメントの歯肉横断部に少なくとも部分的に隣接して配置されている請求項14に記載の組み合わせ。
【請求項１９】
前記金属製の接触部が、圧入接続、接着接続、焼きばめ接続、およびろう付け接続で構成されるグループから選択される方法で、前記セラミック製の本体部へと取り付けられる請求項14に記載の組み合わせ。
【請求項２０】
前記インプラントの近位端が、前記軸に対して斜めの角度に配置された面取りを備えており、
前記アバットメントの接触部が、前記面取りに係合できる接触面を備えている
請求項14に記載の組み合わせ。
【請求項２１】
前記アバットメントが、長手軸および歯肉横断領域を備えており、
該歯肉横断領域の少なくとも一部が、前記長手軸に対して傾けられた軸に沿って向けられている請求項14に記載の組み合わせ。
【発明の詳細な説明】
【技術分野】
【０００１】
1.発明の分野
本発明は、義歯に関し、特には義歯補綴物の一部として歯科用インプラントとともに使用されるセラミック／金属製のアバットメントに関する。
【背景技術】
【０００２】
2.関連技術の説明
歯科用インプラントは、患者の歯牙において患者の元の自然の歯が失われてしまい、あるいは破損してしまった1つ以上の無歯の部位に義歯をもたらすべく、義歯補綴物における固定用部材として広く使用されている。典型的には、公知のインプラントシステムは、チタニウムなどの適切な生体適合性材料から製作された歯科用インプラントを含んでいる。歯科用インプラントが、典型的には、無歯の部位において患者の下顎または上顎へと穿孔された穴に差し込まれる。インプラントが、歯科用アバットメントのための固定用部材を提供し、歯科用アバットメントが、インプラントと歯科補綴物との間の取り合いを提供する。補綴物は、典型的には、置換対象の歯の形状を複製するように公知の方法に従って形作られた磁器製の歯冠である。
【０００３】
多くの現行の歯科インプラント手術は、2つの段階にて実行されている。初期または第1の段階において、無歯の部位の患者の歯肉が切開され、無歯の部位の患者の下顎または上顎へと穴が穿孔され、次いで適切なドライバを使用して、歯科用インプラントが穴へと差し込まれ、あるいは打ち込まれる。その後に、インプラントのアバットメント接続構造を塞ぐべく、インプラントへとカバーが取り付けられ、歯肉がインプラントを覆って縫合される。数ヵ月の期間を経て、患者の顎骨がインプラントの周囲に成長して、インプラントを周囲の骨に堅固に固定する（オッセオインテグレーションとして知られるプロセスである）。
【０００４】
オッセオインテグレーションの後の手順の第2の段階において、歯科医は、インプラントの部位において歯肉を再び外科的に開き、アバットメントならびに任意による仮の補綴物または仮の治癒促進部材を、インプラントへと固定する。次いで、適切な恒久用の補綴物または歯冠が、アバットメントならびに周囲の歯肉組織および歯牙から採取される1つ以上の歯型などから形作られる。最後の段階において、仮の補綴物または治癒促進部材が取り去られ、恒久用の補綴物と取り替えられる。恒久用の補綴物は、例えばセメントまたはファスナによってアバットメントへと取り付けられる。
【０００５】
典型的には、アバットメントは、チタニウムなどの生体適合性の金属から作られ、あるいはセラミック材料から作られる。チタニウム製のアバットメントの利点として、構造強度および比較的容易な製造が挙げられる。しかしながら、埋め込み後にインプラントおよびアバットメントの周囲で歯肉組織の後退が生じた場合、歯冠の下方でアバットメントの金属の一部分が露出し、チタニウムの灰色が目に見えるようになる可能性があり、これは審美的に不都合である。
【０００６】
セラミック製のアバットメントは、チタニウム製のアバットメントよりも硬く、歯と同様の明るい色をもたらすというさらなる利点を有している。その結果、歯肉が後退した場合でも、アバットメントの露出部の明るい色が、歯冠の色に実質的に一致し、歯のような外観を呈して美観を維持する。
【発明の開示】
【発明が解決しようとする課題】
【０００７】
以上に対する改善であるアバットメントが、必要とされている。
【課題を解決するための手段】
【０００８】
本発明は、インプラントと一緒に使用するためのセラミック／金属製の歯科用アバットメントであって、概して、基部領域と、歯肉横断領域と、歯肉縁上領域とを有しているセラミック製の本体部を備えているアバットメントを提供する。基部領域は、協働するインプラントの内側多角形はめ合い部に係合してアバットメントとインプラントとの間の相対回転を防止する外側多角形はめ合い部など、インプラントとの回転防止の取り合い部を備えている。さらに、アバットメントのセラミック製の本体部は、インプラントに接触して、アバットメントとインプラントとの間に荷重を支える金属対金属の取り合いをもたらすための金属製のインプラント接触部を備えている。
【０００９】
一実施形態においては、インプラント接触部が、例えばチタニウムで作られた環状金属リングの形態で設けられ、圧入接続、接着接続、焼きばめ接続、ろう付け接続、または他の適切な方法によって、アバットメントへと取り付けられる。インプラント接触部は、実質的にアバットメントの基部領域と歯肉横断領域との間の境界に配置され、アバットメントがインプラントへと接続されたときに、インプラント接触部がインプラントの開いた近位端の外周の内側に実質的に完全に収容されるように寸法付けられている。したがって、アバットメントがインプラントへと取り付けられた後で、インプラント接触部が目に付くことはなく、アバットメントの周囲の軟組織に接触することもない。
【００１０】
一実施形態においては、インプラントの近位端が、インプラントおよびアバットメントの長手軸に対して斜めの角度に配置された環状の面取りを備えており、アバットメントのインプラント接触部が、このインプラントの面取りに係合すべく協働する角度に配置された接触面を備えている。インプラントの内側多角形はめ合い部の長さを、アバットメントの外側多角形はめ合い部よりも長くすることができ、その結果、アバットメントの外側多角形はめ合い部がインプラントの内側多角形はめ合い部へと受け入れられたとき、アバットメントとインプラントとの間の相対回転が防止される一方で、例えば咬合および／または咀嚼の荷重などといったアバットメントからの軸方向の荷重は、摩耗への耐性を改善すべくインプラント接触部のみを介してインプラントへと伝えられる。
【００１１】
本発明は、その一形態において、長手軸を定めており、インプラントとの回転防止の取り合い部を備えている基部領域と、歯肉横断領域と、歯肉縁上領域とを含んでいるセラミック製の本体部、前記長手軸に沿って前記本体部を貫いて延びている穴、および、前記本体部へと取り付けられ、前記インプラントとの取り合い部に隣接して配置されている金属製のインプラント接触部を備えている歯科用アバットメントを提供する。
【００１２】
本発明は、そのもう1つの形態において、長手軸と、該長手軸に沿って延びる貫通穴と、インプラントとの回転防止の取り合い部とを有しているセラミック製の本体部、および、前記本体部へと取り付けられ、軸方向の荷重を支えるようにインプラントに接触する金属製のインプラント接触手段を備えている歯科用アバットメントを提供する。
【００１３】
本発明は、そのさらなる形態において、外側にねじ山が設けられた本体を備えており、該本体が、遠位端および近位端を有しており、穴が該近位端へと延びており、該穴が、ねじ山部および第1の回転防止の取り合い部を備えている歯科用インプラント、および、前記インプラントの前記第1の回転防止の取り合い部と協働して前記インプラントとの間の相対回転を防止できる第2の回転防止の取り合い部を備えているセラミック製の本体と、前記インプラントの前記近位端に当接できる金属製の接触部と、を有している歯科用アバットメントを組み合わせにて提供する。
【００１４】
添付の図面との関連において検討される本発明の実施の形態についての以下の説明を参照することによって、本発明の上述の特徴および利点ならびに他の特徴および利点が、それらを達成するやり方とともにさらに明らかになり、本発明そのものが、よりよく理解されるであろう。
【００１５】
いくつかの図面を通して、対応する部分同士は、対応する参照符号によって指し示されている。本明細書における例示は、本発明の好ましい実施形態を説明するものであり、そのような例示を、決して本発明の技術的範囲を限定するものとして解釈してはならない。
【発明を実施するための最良の形態】
【００１６】
最初に図1、2A、および2Bを参照すると、患者の歯牙において自然の歯が失われてしまい、あるいは破損してしまった無歯の部位に義歯をもたらすために、図3および4に示されて後述される歯科用インプラント12などと一緒に使用することができる本発明によるセラミック／金属製の歯科用アバットメント10が示されている。図1には、アバットメント10の隣接歯間の図が示されており、アバットメント10は、顔側14および反対側の舌側16ならびに近心側18および反対側の遠心側（図1では見て取ることができない）を含んでいる。さらに、アバットメント10は、概して、インプラント12との取り合いのための基部領域20、歯肉軟組織を貫いて延びる出芽形状領域または歯肉横断領域22、ならびに歯肉横断領域22から上方へと延びており、図4に示されている通りに義歯または歯冠26を取り付けることができる冠領域または歯肉縁上領域24を含んでいる。
【００１７】
アバットメント10は、例えば酸化アルミニウムまたは酸化ジルコニウムなどといった適切なセラミック材料で製作された本体部28を備えており、本体部28は、例えばチタニウムなどの適切な生体適合性の金属で製作できるインプラント接触部30（後述）をさらに備えている。図2Aに示されているように、アバットメント10の本体部28は、アバットメント10の長手軸L1-L1に沿ってアバットメント10を貫通して延びる中心穴32を備えており、穴32は、後述される様相でアバットメント10をインプラント12へと固定するために、アバットメントねじの頭部が当接して係合する段差34を備えている。図1〜4に示した実施形態においては、アバットメント10の歯肉横断領域22および歯肉縁上領域24が、実質的に長手軸L1-L1の方向に沿って延びているが、他の実施形態においては、アバットメント10の歯肉横断領域22および／または歯肉縁上領域24が、置換すべき歯の解剖学的な向きに一致するよう、必要に応じて穴32および長手軸L1-L1から離れるように斜めであってもよい。
【００１８】
例えば、図5を参照すると、斜めのアバットメント90が示されており、この斜めのアバットメント90は、後述を除いてアバットメント10と実質的に同一であり、両者の間で同一な造作を指し示すために、同じ参照番号が使用されている。アバットメント90においては、中央穴92がアバットメント90の中央の長手軸L1-L1に沿って配置される一方で、アバットメント90の歯肉縁上領域94が、中央穴92および長手軸L1-L1に対して斜めである軸L2-L2に沿って向けられ、あるいは配置されている。
【００１９】
アバットメント10の基部領域20は、本明細書においては六角形状を有する外側多角形はめ合い部36として示されているインプラント取り合い部を備えている。他の実施形態においては、アバットメント10が、内側多角形はめ合い部ならびに／あるいは6つよりも多数または少数の面を有する多角形はめ合い部を備えることができる。さらに図2Bを参照すると、多角形のはめ合い部36は、歯肉横断領域22に隣接する上端において、実質的に基部領域20および歯肉横断領域22のつなぎ目に位置する切り欠き40に隣接する棚状部38を終端としており、切り欠き40は、後述の通りインプラント接触部30が装着される環状のリム42および環状のベース壁44を含んでいる。
【００２０】
図1を参照すると、アバットメント10の歯肉横断領域22は、アバットメント10の顔側14の歯肉横断領域22のマージンショルダ48に向かって延びる凹面46と、アバットメント10の舌側16のマージンショルダ48に向かって延びるもう1つ凹面50とを備えている。マージンショルダ48は、実質的に歯肉線すなわち歯と歯茎との間の境目の線に位置し、置換対象の歯の解剖学的構造に基づいて歯肉線に沿うように輪郭付けられ、各側に歯肉縁上領域24の外形へと融合する凹部52を備えている。
【００２１】
図1、2A、および2Bを参照すると、アバットメントの本体部28が、本明細書では例えば環状の金属リングの形態で示されているインプラント接触部30をさらに備えている。インプラント接触部30は、例えばチタニウムなどの適切な生体適合性の金属など、インプラント12と実質的に同じ材料で製作できる。図2Bに最もよく示されているとおり、インプラント接触部30は、概して、それぞれアバットメントの本体部28の切り欠き40のリム42およびベース壁44に当接して位置する環状の内表面54および環状の上面56、ならびにアバットメント10の長手軸L1-L1に対して斜めの角度に配置されたインプラント接触面58を備えており、このインプラント接触面58が、後述の様相でインプラント12に接する。
【００２２】
インプラント接触部30を、アバットメントの本体部28へと、インプラント接触部30を力によって切り欠き40のリム42へと切り欠き40のベース壁44に当接するまで押し込んで、アバットメント10の本体部28にきつく保持する圧入接続によって取り付けることができ、適切な接着剤またはセメントが切り欠き40とインプラント接触部30との間に塗布され、硬化時にインプラント接触部30を切り欠き40においてアバットメントの本体部28へと堅固に固定する接着接続によって取り付けることができ、インプラント接触部30が加熱され、切り欠き40のリム42へと切り欠き40のベース壁44に当接するまで押し込まれ、次いで温度が低下することによってインプラント接触部30の直径がわずかに縮んで、インプラント接触部30がアバットメントの本体部28へときつく保持される焼きばめ接続によって取り付けることができ、あるいはインプラント接触部30が切り欠き40のリム42の周囲へと切り欠き40のベース壁44に当接するまで押し込まれ、次いで本体部28へと熱でろう付けされるろう付け接続によって取り付けることができる。
【００２３】
図3および4を参照すると、インプラント12が、公知の外科手技による患者の顎骨60（図4）のタップ穴へと埋め込まれるねじ山付きの本体15を備えている。インプラント12が顎骨60へとオッセオインテグレーションされた後に、まずはアバットメント10が、アバットメント10の外側多角形はめ合い部36をインプラント12の内側多角形はめ合い部62へと挿入することによって、インプラント12へと据えられる。さらに、アバットメント10がインプラント12へと据えられたときに、アバットメント10のインプラント接触部30が、インプラント12の手前端17の内側の環状の面取り64に係合する。アバットメント10のインプラント接触部30のインプラント接触面58およびインプラント12の面取り64は、アバットメント10およびインプラント12の長手軸L1-L1に対する斜めの角度で、互いに相補的であるように傾けられている。
【００２４】
図4に見ることができるとおり、アバットメント10の外側多角形はめ合い部36は、アバットメント10およびインプラント12の長手軸L1-L1の方向において、インプラント12の内側多角形はめ合い部62よりもわずかに短く、したがって、軸方向のすき間空間66が、インプラント12の内側多角形はめ合い部62においてアバットメント10の外側多角形はめ合い部36の遠位側にもたらされている。この方法で、アバットメント10の外側多角形はめ合い部36とインプラント12の内側多角形はめ合い部62との間の係合が、アバットメント10および歯冠26の重量を支持することなく、あるいはアバットメント10の長手軸L1-L1の方向に沿った荷重を支えることなく、アバットメント10のインプラント12に対する回転を防止する。代わりに、アバットメント10のインプラント接触部30とインプラント12の面取り64との間の金属対金属の接触が、アバットメント10および歯冠26の重量を支持し、さらには例えば咬合および／または咀嚼の荷重など、アバットメント10の長手軸L1-L1の方向に沿い、あるいはアバットメント10の長手軸L1-L1の方向から外れてアバットメント10および歯冠26へと加わる荷重を支持する。
【００２５】
図3に示されているアバットメントねじ68が、アバットメント10をインプラント12へと固定するために用意され、概して、例えば内側多角形はめ合い部71などの工具係合構造を有する頭部70と、頭部70から延び、頭部70から遠い方にねじ山76を有している軸部74を備えている。使用時、アバットメントねじ68が、アバットメント10の中央穴32を通って挿入され、最初にアバットメントねじ68の頭部70をアバットメント10の内部の穴32の段差34に当接させつつ、インプラント12の雌ねじ領域78へとねじ込まれる。
【００２６】
その後に、アバットメントねじ68をさらに締め込むと、アバットメントねじ68の頭部70が座34へと押し付けられ、アバットメント10をインプラント12へと堅固に係合させ、さらに具体的には、アバットメント10のインプラント接触部30をインプラント12の面取り64との係合へとしっかりと押し付け、したがってアバットメントねじ68によってアバットメント10の長手軸L1-L1の方向に沿ってもたらされる荷重が、インプラント接触部30を介して直接にインプラント12へと伝えられる。アバットメント10のインプラント接触部30とインプラント12の面取り64との間の堅固な係合が、アバットメント10とインプラント12との間の微動を最小限にする。
【００２７】
アバットメントねじ68が締め込まれた後、アバットメント10は、アバットメント10のインプラント接触部30がインプラント12の面取り部64に係合することによって堅固にインプラント12へと保持され、小さなすき間が、アバットメント10の外側多角形はめ合い部36とインプラント12の内側多角形はめ合い部62との間に存在することができ、したがって、アバットメント10の外側多角形はめ合い部36のセラミック材料とインプラント12の内側多角形はめ合い部62の金属との間の直接的な接触が、最小限にされる。有利には、インプラント接触部30とインプラント12との間の金属対金属の接触が、インプラント接触部30およびインプラント12の材料の類似性または同一性ゆえに、両者の間の摩耗に対する耐性を向上させる。
【００２８】
アバットメント10が上述の様相でインプラント12へと固定された後で、補綴を完了させるべく、歯冠26を、例えばセメントによってアバットメント10の歯肉縁上領域24へと取り付けることができる。有利には、図3および4に見ることができるとおり、アバットメント10のインプラント接触部30が実質的に完全にインプラント12の開いた近位端17の内部に配置されるため、この補綴物の外側からインプラント接触部30を視認することは不可能であり、たとえアバットメント10の歯肉横断領域22の周囲の歯肉組織80が後退した場合でも、インプラント接触部30を視認することは不可能である。さらに、インプラント接触部30が、図4に示されているとおりにインプラント12の開いた近位端17の内部に実質的に完全に受け入れられることで、インプラント接触部30の金属が、アバットメント10およびインプラント12の周囲の歯肉軟組織80に接触することがないようにされている。
【００２９】
図1および2Bに一部が示されているように、アバットメント10の基部領域20および／または歯肉横断領域22の範囲において、セラミック製の本体部28および／またはインプラント接触部30を、例えば審美のために歯に類似した明るい色をもたらすために、電気めっき技法またはスパッタリング技法などによって、金の薄いコーティング82あるいは他の金属または非金属のコーティングで被覆することができる。
【００３０】
図6を参照すると、別の実施形態によるアバットメント100の一部が示されており、このアバットメント100は、後述を除いて上述のアバットメント10と同一であり、両者の間で同一または実質的に同一な造作を指し示すために、同じ参照番号が使用されている。アバットメント100は、上述の接触部30と同様の接触部102を備えており、接触部102は、接触部30がアバットメント10へと取り付けられる方法と同じ方法でアバットメント100へと取り付けることができる。接触部102は、インプラント12の近位側の外側の環状リム106に据わるように寸法付けられた外側の環状の端面104を備えており、接触部102とインプラント12の面取り64との間に小さなすき間空間108が存在し、荷重が、アバットメント100からインプラント12へと、接触部102の外側の端面104を介してインプラント12の近位側の外側の環状リム106に伝えられる。
【００３１】
本発明を、好ましい設計を有するものとして説明したが、本明細書の開示の技術的思想および技術的範囲の範囲内で、本発明をさらに変形することが可能である。したがって、本出願は、本発明の一般的原理を使用する本発明のあらゆる変種、使用、または脚色を包含するものである。さらに、本出願は、本発明の関係する技術分野の公知または通例の実務の範囲において生じうる本明細書の開示からの逸脱であって、添付の特許請求の範囲の技術的範囲に含まれる逸脱も包含するものである。
【図面の簡単な説明】
【００３２】
【図１】本発明によるセラミック／金属製のアバットメントの隣接歯間の斜視図である。
【図２Ａ】図1のアバットメントの断面図である。
【図２Ｂ】図2Aの一部分の部分図である。
【図３】アバットメントをインプラントおよびアバットメントねじと一緒に示した断面分解図である。
【図４】図3のインプラント、アバットメント、およびアバットメントねじの断面図であり、インプラントが顎骨に埋め込まれ、歯冠がアバットメントへと取り付けられている。
【図５】さらなる実施形態による斜めのアバットメントの断面図である。
【図６】別の実施形態によるアバットメントの一部分を拡大した部分図である。
【図１】
2009527339.tif 000003
【図２Ａ】
2009527339.tif 000004
【図２Ｂ】
2009527339.tif 000005
【図３】
2009527339.tif 000006
【図４】
2009527339.tif 000007
【図５】
2009527339.tif 000008
【図６】
2009527339.tif 000009
【国際調査報告】
2009527339.tif 000010
2009527339.tif 000011